(57)【要約】【課題】湿疹、あせも、かぶれ等の発生を効果的に防止し得る吸収性物品を提供すること。【解決手段】肌対向面に伸縮自在な領域を有し、該伸縮自在な領域はその弛緩状態においてギャザーの形成によるひだよせによって、多数の凸部９ａ及び該凸部９ａ間に位置し表面に露出しない凹部９ｂを有し、凸部９ａが透湿性となされていると共に凹部９ｂにスキンケア剤Ｓが付与されており、前記ギャザーが伸張されると、凸部９ａ及び凹部９ｂが引き延ばされてスキンケア剤Ｓが表面に露出するようになされている吸収性物品。【選択図】　　図３
2004065924.tif 000002
【特許請求の範囲】
【請求項１】
肌対向面に伸縮自在な領域を有し、該伸縮自在な領域はその弛緩状態においてギャザーの形成によるひだよせによって、多数の凸部及び該凸部間に位置し表面に露出しない凹部を有しており、前記凸部が透湿性となされていると共に前記凹部にスキンケア剤が付与されており、前記ギャザーが伸長されると、前記凸部及び前記凹部が引き延ばされて前記スキンケア剤が表面に露出するようになされている吸収性物品。
【請求項２】
前記凸部が親水性である請求項１記載の吸収性物品。
【請求項３】
前記スキンケア剤が撥水性であり、前記伸縮自在な領域における前記凸部の頂部を除いた部分のみに該スキンケア材を付与してある請求項２記載の吸収性物品。
【請求項４】
前記伸縮自在な領域が、肌対向面となる繊維ウエブと弾性部材とから少なくともなり、前記弾性部材はその伸張状態下に前記繊維ウエブと接合されており、両者の接合パターンは断続的であり、両者の接合部に対応する前記繊維ウエブの位置に前記スキンケア剤が付与されている請求項１〜３の何れか記載の吸収性物品。
【請求項５】
前記吸収性物品が使い捨ておむつであり、前記伸縮自在な領域がウエスト開口部、レッグ開口部又は該ウエスト開口部と該レッグ開口部との間に位置する胴周囲部に存する請求項１〜４の何れかに記載の吸収性物品。
【発明の詳細な説明】
【０００１】
【発明の属する技術分野】
本発明は、使い捨ておむつなどの吸収性物品に関し、更に詳しくは吸収性物品の着用に起因する湿疹、あせも、かぶれの発生を効果的に防止し得る吸収性物品に関する。
【０００２】
【従来の技術及び発明が解決しようとする課題】
おむつのウエストフラップの内面に通気性の吸汗シートを接合した使い捨ておむつが知られている（特許文献１参照）。この使い捨ておむつは、湿疹、あせも、かぶれ等が発生し易いウエストフラップの内面に汗を吸収するシートを配することで、該シートによって着用者から発生する汗を吸収させて、あせも等の発生を防止しようとするものである。
【０００３】
前記使い捨ておむつによれば、着用者から発生する汗は前記吸汗シートに吸収される。しかし、汗を吸収して湿潤した状態となっている前記吸汗シートは、着用者の肌に当接した状態となっているので、着用者の肌は湿潤状態にさらされることになる。従って、あせも等の発生を十分に防止することはできない。
【０００４】
【特許文献１】
特開２０００−１８９４５４号公報
【０００５】
従って、本発明は、湿疹、あせも、かぶれ等の発生を効果的に防止し得る吸収性物品を提供することを目的とする。また、本発明は、湿疹、あせも、かぶれ等が発生した場合に、これらを速やかに治癒し得る吸収性物品を提供することにある。
【０００６】
本発明者らは、湿疹、あせも、かぶれ等（以下、あせも等という）の発生を十分に防止するためには、着用者から発生した汗を除去すると共に着用者の肌に所望の薬剤を付与することが効果的であることを知見した。
【０００７】
【課題を解決するための手段】
本発明は、肌対向面に伸縮自在な領域を有し、該伸縮自在な領域はその弛緩状態においてギャザーの形成によるひだよせによって、多数の凸部及び該凸部間に位置し表面に露出しない凹部を有しており、前記凸部が透湿性となされていると共に前記凹部にスキンケア剤が付与されており、前記ギャザーが伸張されると、前記凸部及び前記凹部が引き延ばされて前記スキンケア剤が表面に露出するようになされている吸収性物品を提供することにより前記目的を達成したものである。
【０００８】
【発明の実施の形態】
以下本発明を、その好ましい実施形態に基づき図面を参照しながら説明する。本実施形態は、本発明の吸収性物品の一つであるパンツ型使い捨ておむつに係るものである。図１には、パンツ型使い捨ておむつの斜視図が示されており、図２（ａ）には図１に示すおむつを組み立てる前の状態を表面シート側からみた伸張状態での平面図が示されており、図２（ｂ）には図２（ａ）におけるｂ−ｂ線断面図が示されている。
【０００９】
本実施形態のおむつ１は、図１及び図２に示すように、液透過性の表面シート２、液不透過性の防漏シート３及び両シート２、３間に介在配置された液保持性の吸収体としての吸収性コア４を有する実質的に縦長の吸収体本体１０と、該吸収体本体１０の防漏シート３側に配された外層体１１とを備えている。おむつ１は、着用者の腹側に配される腹側部Ａと背側に配される背側部Ｂとその間に位置する股下部Ｃとを有し、腹側部Ａの両側縁Ａ１，Ａ２と背側部Ｂの両側縁Ｂ１，Ｂ２とが互いに接合されて、ウエスト開口部５及び一対のレッグ開口部６が形成されている。またウエスト開口部５とレッグ開口部６との間は、胴周囲部Ｄとなる。
【００１０】
表面シート２、防漏シート３及び吸収性コア４は所定手段によって互いに接合されて縦長の吸収体本体１０を形成している。表面シート２及び防漏シート３はそれぞれ矩形状である。また吸収性コア４も矩形状である。表面シート２及び防漏シート３としては、従来この種のおむつに用いられているものと同様のものを用いることができる。例えば表面シート２として不織布などの繊維ウエブを用いることができる。後述するように、この繊維ウエブは親水性となされている。吸収性コア４は、高吸収性ポリマーの粒子及び繊維材料から構成されており、ティッシュペーパ（図示せず）によって被覆されている。
【００１１】
図２に示すように、吸収体本体１０の左右両側には、液抵抗性ないし液不透過性で且つ通気性の素材から構成された側方カフス８，８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより側方カフス８が起立して、吸収体本体１０の幅方向への液の流出が阻止されている。
【００１２】
吸収体本体１０は、図２に示すように、その長手方向を外層体１１の長手方向に一致させて、外層体１１の中央部に固定されている。吸収体本体１０と外層体１１とは、部分的に接合されて固定されている。
【００１３】
外層体１１は、少なくとも二枚のシート材、即ち外層シート１２と該外層シート１２の内面側に配された内層シート１３とを有している。二枚のシート材は例えば不織布などの繊維ウエブから構成されている。後述するように、外層シート１２及び内層シート１３を構成する繊維ウエブはそれぞれ透湿性となされている。外層体１１は、おむつ１の外形を形成しており、外層体１１を構成する外層シート１２はおむつ１の最外表面をなしている。内層シート１３は外層シート１２の内面側に、ホットメルト粘着剤等の接着剤によって接合されている。外層体１１は、その両側縁が、長手方向中央部において内方に括れた砂時計形の形状をしている。外層体１１は、吸収体本体１０の前後端縁から外方に延出しており、延出した部分が吸収体本体１０側に折り返されている。そして、折り返された外層材１１の前後端縁は、図２（ｂ）に示すように吸収体本体１０における吸収性コア４上に位置している。
【００１４】
図２に示すように、外層体１１における前後端部には、前後端縁に沿って、複数のウエスト部弾性部材５１ａ、５１ｂがその幅方向に亘り配されている。各ウエスト部弾性部材５１ａ、５１ｂは、外層シート１２と内層シート１３とによって伸張状態で挟持固定されている。これによって、ウエスト開口部５の付近にはウエストギャザーが形成される。
【００１５】
図２に示すように、外層体１１における左右両側の湾曲部には、第１のレッグ部弾性部材６１ａ及び第２のレッグ部弾性部材６１ｂが配されている。第１のレッグ部弾性部材６１ａは、主として股下部Ｃにおける腹側部Ａ寄りに配されており、第２のレッグ部弾性部材６１ｂは、主として股下部Ｃにおける背側部Ｂ寄りに配されている。第１及び第２のレッグ部弾性部材６１ａ、６１ｂは、外層シート１２と内層シート１３との間に配されており、所定の接合手段によって、両シート１２、１３に伸張状態で固定されている。更に、第１及び第２のレッグ部弾性部材６１ａ，６１ｂは、股下部Ｃにおいて互いに交差している。これによって、おむつ１のレッグ開口部６、６の付近にはレッグギャザーが形成される。
【００１６】
図１及び図２に示すように、外層体１１における前後端部と左右両側の湾曲部との間に位置する胴周囲部Ｄには、外層体１１の幅方向に向けて複数の胴回り弾性部材７１ａ、７１ｂがそれぞれ配されている。各胴回り弾性部材７１ａ、７１ｂは糸状であり、おむつ１の腹側部Ａ及び背側部Ｂにおいて、吸収性コア４の両側縁よりも外方の部位Ｄ１に配されており且つ伸縮弾性が発現するように外層シート１２と内層シート１３とによって伸張状態で挟持固定されている。これによって、胴周囲部Ｄにおける吸収性コア４の両側縁よりも外方の部位Ｄ１においては、胴回り弾性部材７１ａ、７１ｂが配された領域に胴周囲ギャザーが形成される。
【００１７】
以上の通り、本実施形態のおむつ１においては、ウエスト開口部５、レッグ開口部６及び胴周囲部Ｄにそれぞれギャザーが形成されており伸縮自在な領域となっている。ギャザーが形成されているこれらの部位は、おむつ１における肌対向面に位置している。これらの部位においては、弛緩状態（つまりおむつが着用されていない状態）では、ギャザーによるひだよせが生じて、肌対向面側において、多数の凸部及び該凸部間に位置し表面に露出していない多数の凹部が形成される。この状態を、胴周囲部Ｄに形成されたギャザーを例にとり、図３に模式的に示す。尚、図３においては、凸部９ａ及び凹部９ｂを誇張して描いている。また、図３から明らかなように、凸部及び凹部は肌対向面側である内層シート１３だけでなく、外層シート１２にも形成されている。
【００１８】
本実施形態のおむつ１においては、内層シート１３及び外層シート１２が透湿性となっている。前述の通り、これらシート間には弾性部材が配されており、これによって肌対向面に伸縮自在な領域が設けられている。そして、これらの領域にはウエストギャザー及び胴周囲ギャザーが形成されてひだよせが生じている。従って、少なくとも、ひだよせによって生じた凸部は透湿性を有している。
【００１９】
一方、凸部間の凹部にはスキンケア剤が付与されている。この状態を胴周囲部Ｄに形成されたギャザーを例にとり、図３に模式的に示す。図３から明らかなように、スキンケア剤Ｓは、凹部９ｂにのみ付与されており、凸部９ａには付与されていない。つまり、スキンケア剤Ｓは、断続的に付与されている。前述の通り凹部９ｂは、ギャザーの弛緩状態においては表面に露出していないので、該凹部９ｂに付与されているスキンケア剤Ｓも表面（肌対向面）に露出しない。
【００２０】
スキンケア剤は、ウエスト開口部５及び胴周囲部Ｄにおいて、それらの伸張方向に延びるように、一列又は多列に付与される。
【００２１】
以上の構成を有する本実施形態のおむつ１においては、おむつ１を着用する場合に、伸縮自在な領域であるウエスト開口部５及び胴周囲部Ｄが伸張されて、これらの部位に形成されているギャザーが引き延ばされる。つまり、ギャザーを構成していた凸部及び凹部が引き延ばされる。これによって凹部に付与されていたスキンケア剤が、おむつ肌対向面の表面に露出するようになる。この状態を胴周囲部Ｄに形成されたギャザーを例にとり、図４に模式的に示す。図４から明らかなように、伸張によって胴周囲部Ｄに形成されたギャザーが引き延ばされて、凸部９ａ及び凹部９ｂが平坦に近い状態となり、スキンケア剤Ｓが肌対向面に露出する。この露出状態下におむつ１が着用されるので、着用動作中にスキンケア剤Ｓがおむつ肌対向面から着用者の肌へ移行し塗布される。着用動作が完了すると、ウエスト開口部５及び胴周囲部Ｄの伸張が解除され、収縮して再びギャザーが生じて図３に示すように凸部９ａ及び凹部９ｂが形成される。その結果、露出していたスキンケア剤Ｓは凹部９ｂ内に戻る。これと共に凸部９ａが着用者の肌に当接する。前述の通り凸部９ａは透湿性となされているので、着用者から生じた汗が凸部９ａから外部へ放出される。これによって、吸収された汗が着用者の体から離されることになる。これらの結果、着用者の肌がドライな状態に保たれ、着用者の腰回り及び胴回りにおけるあせも等の発生が効果的に防止される。その上、前述したように着用者の肌にはスキンケア剤Ｓが付与されているので、これによっても着用者の腰回り及び胴回りにおけるあせも等の発生が防止され、またあせも等が発生した場合にそれが効果的に治癒される。
【００２２】
おむつ１の着用期間中、着用者の動作に起因して、ウエストギャザーや胴周囲ギャザーの伸縮が起こる。そのときにギャザーの凹部が引き延ばされて、スキンケア剤が肌対向面に露出することがある。露出したスキンケア剤は着用者の肌に移行する。このような現象がおむつ１の着用期間に亘って起こるので、スキンケア剤が継続的に肌に移行し、あせも等の発生が防止され、またあせも等が発生した場合にそれが効果的に治癒される。更に、一般にパンツ型使い捨ておむつにおいては、その着用期間中に、母親や介護者がおむつ内側（肌対向面）の汚れの程度をみるために、ウエスト開口部から胴周囲部にかけての部位を引き延ばすことがしばしばある。その都度ごとにウエストギャザーや胴周囲ギャザーが引き延ばされてスキンケア剤が露出する。これによってもスキンケア剤が着用者の肌に移行する。
【００２３】
ギャザーを構成する凸部９ａを確実に透湿性となし且つスキンケア剤を凹部９ｂに確実に位置させるためには、ウエスト開口部５及び胴周囲部Ｄに配された弾性部材と不織布等の繊維ウエブとの接合を断続的に行い且つ接合部に対応する該繊維ウエブの位置にスキンケア剤を付与することが好ましい。例えば図３に示す胴周囲部Ｄに形成されたギャザーを例にとれば、内層シート１３、外層シート１２及び胴回り弾性部材７１ａとの三者を接合するに当たり、胴回り弾性部材７１ａを伸張状態下に内層シート１３及び外層シート１２と断続的に接合して断続的な接合部Ｊを形成し、該接合部Ｊに対応する内層シート１３の位置にスキンケア剤を付与する。これによって、胴回り弾性部材７１ａの伸張状態が解かれると、接合部Ｊ間に位置する内層シート１３（この部分の内層シート１３は透湿性となっている）がひだよせされて、透湿性となっている凸部９ａが確実に形成される。これと同時に、接合部Ｊ及びその近傍に位置する内層シート１３（この部分の内層シート１３にはスキンケア剤Ｓが付与されている）に、スキンケア剤Ｓが付与された凹部９ｂが確実に形成される。接合には、ホットメルト粘着剤などの各種接着剤を用いた接着や、熱融着などを用いることができる。
【００２４】
また本実施形態においては、吸収体本体１０における表面シート２、及び外層体１１における内層シート１３が親水性となされている。更に、外層シート１２における表面シート側に折り返された部分も親水性となされている。従って、少なくとも凸部９ａは親水性となされている。そのため凸部９ａによって着用者の汗を吸収することができる。これにより、凸部９ａの透湿性と相まって、着用者の肌を積極的にドライな状態に保つことができる。なお、これらのシートを親水性とするには、例えば各種親水化剤をこれらのシートに塗布すればよい。あるいは、親水性繊維と疎水性繊維とを混合したシート、親水性繊維からなるシート、親水性繊維シートと疎水性シートの積層体からなるシートを用いてもよい。親水性繊維としては、コットン、パルプ等の天然繊維、レーヨン、リヨセル等の再生繊維、ポリビニルアルコール、アクリル樹脂等の合成繊維が挙げられる。なお、本実施形態では凸部９ａは親水性であるが、凸部９ａは汗を吸収すれば良いので、親水性であることに限られず吸水性であればよい。
【００２５】
内層シート１３や外層シート１２における表面シート側に折り返された部分を親水性となした場合には、スキンケア剤の種類に応じて次の効果（１）及び（２）が奏される。
（１）撥水性のスキンケア剤を凹部９ｂに付与する場合には、仮に吸収性コア４から尿が内層シート１３に滲み出してきても、外層シート１２側への滲み出しに対する抵抗が生じるので、漏れ防止に寄与する。撥水性のスキンケア剤を付与する場合、凸部９ａを親水性とするときには少なくとも凸部９ａの頂部を除いた部分のみにスキンケア剤を付与するようにする。
（２）親水性のスキンケア剤を使用する場合には、着用中にギャザーが十分に伸びないようなときであっても汗によってスキンケア剤が凹部９ｂから離脱して肌へ容易に移行する。また凸部９ａの透湿性を損なわない範囲であれば、凹部９ｂに加えて凸部９ａにもスキンケア剤を付与してもよい。
但し、撥水性・親水性いずれのスキンケア剤を使用するにしても、発汗前の透湿性を考慮すると、少なくとも凸部９ａの頂部にはスキンケア剤を付与しないで透湿性を確保することが好ましく、特に凹部９ｂにのみスキンケア剤を付与することが好ましい。
【００２６】
スキンケア剤としては、着用者の肌に接触して付着し、そこにとどまるか又は肌内に浸透して作用して、保護、治癒等の効能を有するものを特に制限無く用いることができる。例えば、化粧品の分野においてエモリエント剤として用いられているものを用いることができる。例えば、流動パラフィン、シリコーンオイル、動植物油（オリーブ油、ホホバ油、ベニバナ油、スクワラン及びスクワレン等）、モノ、ジ、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル及びステアリル−１，３−メチルプロピルエーテル等）、イソステアリル−コレステロールエステルなどの油剤成分が挙げられる。またパラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノ、ジ、トリ）、ポリオキシエチレン脂肪酸ソルビタンエステル（モノ、ジ、トリ）等、ステアリン酸マグネシウム等の金属石鹸、ショ糖脂肪酸エステル、シクロデキストリン脂肪酸エステル、シリコーン系レジン、アルキルシリコーンなどを用いることもできる。更に特表平１０−５０９８９６号公報、特表平１１−５１００８２号公報、特表平１１−５１０４１６号公報、特表２０００−５０５６８２号公報に記載のエモリエント剤を用いることもできる。
【００２７】
スキンケア剤としては、更に、セリシン、キトサン、セラミド類、コラーゲン、保湿剤（１，３−ブチレングリコール、ジプロピレングリコール、グリセリン及びプロピレングリコール等）などを用いることもできる。また、以下の一般式（１）で表されるジアミド誘導体を用いることもできる。このジアミド誘導体の詳細は本出願人の先の出願に係るＷＯ００／６１０９７号公報に記載されている。このジアミド誘導体として好ましいものは、例えば同公報の記載の式（１ａ）、（１ｂ）及び（１ｃ）で表される化合物である。
【００２８】
【化１】
2004065924.tif 000003
【００２９】
スキンケア剤として、シッカロール、タルク、酸化チタン、アシル化タウリン金属塩（ラウロイルタウリンカルシウム塩、ラウロイル−β−アラニルカルシウム）ジステアリルエーテル、セチルリン酸亜鉛ナトリウム、Ｎ−ε−ラウロイン−Ｌ−リジン、シリコーンビーズ、ナイロンビーズなどの有機及び無機微粒子を用いることもできる。これらの微粒子の粒径は、０．０５〜５０μｍ、特に１〜２０μｍであることが好ましい。
【００３０】
スキンケア剤として、特に植物エキスを用いることが好ましい。植物エキスは、各種植物の全体又はその葉、樹皮、根及び枝のうちの一又は二以上の箇所を乾燥させ又は乾燥させることなく粉砕した後、常温又は加温下に溶剤によって抽出するか又はソックスレー抽出器等の抽出機具を用いて抽出することによって得られる。植物エキスとしては、例えば柚エキス、ハマメリスエキス、アスナロエキス、アロエエキス、オウバクエキス、オーツ麦エキス、海藻エキス（ヒバマタ）、ワレモコウエキス、スギナエキス、カミツレエキス、ユーカリエキス、モモ葉エキスなどの親水性のものが用いられる。特に、柚エキス、ユーカリエキス、ハマメリスエキス、アスナロエキス、アロエエキス及びオウバクエキスから成る群から選択される一種以上の物質を用いることで、スキンケア効果が一層高くなる。これらのうちでも、スキンケア効果の更に一層の向上の点から、ハマメリスエキス、アスナロエキス、柚エキスを用いることが好ましい。吸収性物品の製造工程で加熱処理を行う場合に防爆対応を要しない点から、植物エキスは、１，３−ブチレングリコール抽出物であることが好ましい。
【００３１】
親水性の植物エキスは、有効成分に加え溶剤成分及び水分を含んだ状態となっている。この状態での植物エキスの有効成分量（溶剤成分や水分を除いた量）は、０．００１〜５重量％であれば良い。但し、抽出用の溶剤成分として１，３−ブチレングリコールを用いた場合には、有効成分量と１，３−ブチレングリコールの量との総和が前記範囲内であればよい。特に、有効成分量は、溶剤成分の量に対して０．００１〜１０重量％であることが好ましい。
【００３２】
本発明においては吸湿剤を用いることもできる。吸湿剤としては、従来公知のものを特に制限なく用いることができる。吸湿剤はスキンケア剤の施されている部位と同部位に施されてもよい。あるいは吸湿剤が練り込まれた繊維からなるシートをおむつの所定部位、例えば外層体１１の外層シート１２と内層シート１３との間に配してもよい。吸湿剤は、人体に対して有害又は刺激性のある成分を含まないことが好ましい。特に、吸湿剤が水に可溶な成分を含む場合には、該成分が排泄された液に溶解して肌に接触するおそれがあるので、該吸湿剤は実用上水不溶性のものであることが好ましい。水可溶性である場合には不溶化処理を施したものであることが好ましい。水不溶性の吸湿剤としては次の（１）〜（４）のものが挙げられる。（１）活性炭、天然又は合成シリカ、合成ゼオライト等の水分をその表面に物理化学的に吸着する無機／有機多孔体。（２）ポリアクリル酸ソーダ架橋体；デンプン−ポリアクリル酸グラフト重合体；親水性ポリウレタン；カルボキシレート、スルホネート若しくはサルフェート基を有するモノマーと、ホスフェート若しくはホスホネート基を有するモノマーとの共重合体等の高吸収性ポリマー。（３）水分を蒸気としても液体としても吸収して膨潤するシリカゲル等の水不溶性有機／無機親水性ゲル。（４）各種糖類やアルギン酸およびその塩などの天然物吸湿剤。
【００３３】
本発明においては植物エキスなどのスキンケア剤が施されている部位に、スキンケア剤と共に該スキンケア剤の皮膚への浸透促進剤が施されていても良い。これによって、着用者の肌へのスキンケア剤の浸透が促進され、あせも等が一層抑制され、またあせも等が起こった場合にそれらが一層迅速に治癒される。
【００３４】
浸透促進剤としては、溶解度パラメータ値（以下、ＳＰ値という）が１５〜１７、特に１６〜１６．８の物質を用いることが好ましい。ＳＰ値が前記範囲内であることによって、べたつきが低くさらっとした感触のおむつとなる。
【００３５】
浸透促進剤としては、脂肪族エーテルや脂肪族エステルを用いることが好ましい。特に熱的に安定な物質である脂肪族エーテルを用いることが好ましい。この理由は、吸収性物品の製造工程においては一般に各構成部材の接合時に熱が付与され、その際に脂肪族エーテルは変性・分解しづらいからである。
【００３６】
特に好ましい浸透促進剤は、ミリスチル−１，３−ジメチルブチルエーテル、パルミチル−１，３−ジメチルブチルエーテル、ステアリル−１，３−ジメチルブチルエーテル、パルミチル−３−メチルプロピルエーテル、ステアリル−３−メチルプロピルエーテル等の脂肪族エーテルである。
【００３７】
植物エキスなどのスキンケア剤が施されている部位には、前述した浸透促進剤に加えてその他の成分を施してもよい。そのような成分としては、前記浸透促進剤のゲル化剤が挙げられる。これによって浸透促進剤の固定化を図ることができる。ゲル化剤としては、前記浸透促進剤の拡散・移行を抑制し得る物質が用いられ、例えばパラフィンワックス、脂肪酸（Ｃ１２〜Ｃ２２）、脂肪族アルコール（Ｃ１２〜Ｃ２２）、ワセリン、脂肪酸ソルビタンエステル（モノ、ジ、トリ）、ポリオキシエチレン脂肪酸ソルビタンエステル等が挙げられる。ゲル化剤は、スキンケア効果も奏するので好ましい。ゲル化剤は、浸透促進剤１００重量部に対して１０〜２００重量部、特に５０〜１００重量部施されていることが、経済性、触感、加工性の点から好ましい。
【００３８】
植物エキスなどのスキンケア剤が施されている部位には、前述した浸透促進剤及びゲル化剤に加えて別の成分を施してもよい。そのような成分としては、例えばスキンケア剤並びに必要に応じて用いられる浸透促進剤及び及びゲル化剤を施す際に用いられる、これらの剤を含む混合物の粘度を調整するための粘度調整剤が挙げられる。この場合、該粘度調整剤として、スキンケア効果を有する物質である流動パラフィン、シリコーンオイル、動植物油（スクワラン、オリーブ油、ホホバ油、ベニバナ油）、モノ、ジ又はトリグリセライド等を用いることが好ましい。スキンケア剤、浸透促進剤、ゲル化剤及び粘度調整剤の混合物の常温（２０℃）におけるＪＩＳ硬度は２０〜５０であることが肌へのスキンケア剤の移行性と触感とを両立できる点から好ましい。
【００３９】
本実施形態のおむつ１においては、スキンケア剤が施されている部位に、抑汗剤を施してもよい。抑汗剤としては例えばアルミニウムヒドロキシクロライド、アルミニウム−ジルコニウム塩、パラフェノールスルホン酸亜鉛等が挙げられる。また吸収した汗の発散を促進させるために、胴周囲部及び／又はウエスト開口部におけるギャザーの一部に開孔処理がなされていてもよい。
【００４０】
本発明は前記実施形態に制限されない。例えば前記実施形態においては、胴周囲部及びウエスト開口部におけるギャザーにスキンケア剤を付与したが、これに代えて、おむつ肌対向面におけるその他の伸縮自在な領域、例えばレッグ開口部にスキンケア剤を付与してもよい。
【００４１】
また前記実施形態はパンツ型の使い捨ておむつに係るものであったが、本発明は展開型の使い捨ておむつにも同様に適用できる。更におむつ以外の吸収性物品、例えば生理用ナプキンや失禁パッドにも同様に適用できる。
【００４２】
【発明の効果】
本発明の吸収性物品によれば、湿疹、あせも、かぶれ等の発生を効果的に防止することができる。また湿疹、あせも、かぶれ等が発生した場合に、これらを速やかに治癒することができる。
【図面の簡単な説明】
【図１】本発明の吸収性物品の一例としてのパンツ型使い捨ておむつを示す斜視図である。
【図２】図２（ａ）は図１に示すおむつを組み立てる前の状態を表面シート側からみた伸張状態での平面図であり、図２（ｂ）は図２（ａ）におけるｂ−ｂ線断面図である。
【図３】弛緩状態での図２におけるＩＩＩ−ＩＩＩ線断面図である。
【図４】伸張状態での図２におけるＩＩＩ−ＩＩＩ線断面図である。
【符号の説明】
１　使い捨ておむつ（吸収性物品）
２　表面シート
３　防漏シート
４　吸収性コア
５　レッグ開口部
９ａ　凸部
９ｂ　凹部
１０　吸収体本体
１１　外層体
７１ａ、７１ｂ　胴回り弾性部材
Ａ　腹側部
Ｂ　背側部
Ｃ　股下部
Ｄ　胴周囲部
Ｊ　接合部
Ｓ　スキンケア剤
【図１】
2004065924.tif 000004
【図２】
2004065924.tif 000005
【図３】
2004065924.tif 000006
【図４】
2004065924.tif 000007